(57)【特許請求の範囲】
【請求項１】
バースト・カッティング・エリアが設けられた光ディスクの前記バースト・カッティング・エリアから情報を読み出すことができる光ディスク再生装置であって、
光ビームを放射する光源、前記光ビームを前記光ディスクに集束する対物レンズ、前記対物レンズの位置を制御するレンズアクチュエータ、および前記光ディスクによって反射された前記光ビームの少なくとも一部から電気信号を生成する光検出器を有する光ピックアップと、
前記光ピックアップを前記光ディスクの半径方向に移動させる送り機構と、
前記光ディスク上における前記光ビームの照射位置が前記バースト・カッティング・エリア内に位置するか否かを前記電気信号に基づいて判定する領域判定手段と、
を備え、更に
前記バースト・カッティング・エリアから情報を読み出すとき、
前記対物レンズによって集束される光ビームの前記光ディスク上における照射位置が前記バースト・カッティング・エリア内に位置するか否かを前記領域判定手段によって判定するステップＡと、
前記ステップＡにおいて、前記対物レンズによって集束される光ビームの前記光ディスク上における照射位置が前記バースト・カッティング・エリア内に位置しないと判定したときは、
前記送り機構によって前記光ピックアップをディスク中心に近づけるステップＢと、
前記レンズアクチュエータにより、前記光ピックアップ内における異なる複数のレンズ位置に前記対物レンズを順次配置するステップＣと、
を実行し、
前記ステップＣを実行後にさらに前記ステップＡを実行し、
前記ステップＡにおいて、前記領域判定手段が前記対物レンズによって集束される光ビームの前記光ディスク上における照射位置が前記バースト・カッティング・エリア内に位置すると判定するまで、前記ステップＡ、ステップＢ及びステップＣを繰り返すように制御する制御手段を備えた
光ディスク再生装置。
【請求項２】
前記光ピックアップ内における前記複数のレンズ位置の間隔は、前記ステップＢにおける光ピックアップの移動距離よりも短く設定されている請求項１に記載の光ディスク再生装置。
【請求項３】
前記レンズアクチュエータによって前記光ピックアップ内における異なる複数のレンズ位置に前記対物レンズを順次配置するとき、前記対物レンズをディスク中心に近づけるステップを複数回実行する、請求項１に記載の光ディスク再生装置。
【請求項４】
前記レンズアクチュエータによって前記光ピックアップ内における異なる複数のレンズ位置に前記対物レンズを順次配置するとき、前記対物レンズをディスク中心から遠ざけるステップを少なくとも１回実行する、請求項３に記載の光ディスク再生装置。
【請求項５】
前記領域判定手段は、前記光ディスクによって反射された光ビームの光量変化に基づいて、前記光ビームの前記光ディスク上における照射位置が前記バースト・カッティング・エリア内に位置するか否かを判定する、請求項１に記載の光ディスク再生装置。
【請求項６】
前記光ディスク上における前記光ビームの照射位置が前記バースト・カッティング・エリア内に位置すると判定された場合、前記バースト・カッティング・エリアから情報を読み出す前に、前記光ビームの照射位置を前記バースト・カッティング・エリアの中央部に近づける動作を行う、請求項１に記載の光ディスク再生装置。
【請求項７】
前記バースト・カッティング・エリアは、ナローバーストカッティングエリアである請求項１に記載の光ディスク再生装置。
【請求項８】
前記送り機構はＤＣモータを備えており、前記ＤＣモータの回転によって前記光ピックアップを前記光ディスクの半径方向に移動させる、請求項１に記載の光ディスク再生装置。
【請求項９】
光ビームを放射する光源、前記光ビームを光ディスクに集束する対物レンズ、前記対物レンズの位置を制御するレンズアクチュエータ、および前記光ディスクによって反射された前記光ビームの少なくとも一部から電気信号を生成する光検出器を有する光ピックアップを備える光ディスク再生装置の駆動方法であって、
バースト・カッティング・エリアが設けられた光ディスクの前記バースト・カッティング・エリアから情報を読み出すとき、
前記対物レンズによって集束される光ビームの前記光ディスク上における照射位置が前記バースト・カッティング・エリア内に位置するか否かを判定するステップＡと、
前記ステップＡにおいて、前記対物レンズによって集束される光ビームの前記光ディスク上における照射位置が前記バースト・カッティング・エリア内に位置しないと判定したときは、
前記光ピックアップをディスク中心に近づけるステップＢと、
前記レンズアクチュエータにより、前記光ピックアップ内における異なる複数のレンズ位置に前記対物レンズを順次配置するステップＣと、
を実行し、
前記ステップＣを実行後にさらに前記ステップＡを実行し、
前記ステップＡにおいて、前記対物レンズによって集束される光ビームの前記光ディスク上における照射位置が前記バースト・カッティング・エリア内に位置すると判定するまで、前記ステップＡ、ステップＢ及びステップＣを繰り返す、
光ディスク再生装置の駆動方法。
【発明の詳細な説明】
【技術分野】
【０００１】
本発明は光ディスク再生装置およびその駆動方法に関する。
【背景技術】
【０００２】
光ディスクに記録されているデータは、比較的弱い一定の光量の光ビームを回転する光ディスクに照射し、光ディスクによって変調された反射光を検出することによって再生される。
【０００３】
再生専用の光ディスクには、光ディスクの製造段階でピットによる情報が予めスパイラル状に記録されている。これに対して、書き換え可能な光ディスクでは、スパイラル状のランドまたはグルーブを有するトラックが形成された基材表面に、光学的にデータの記録／再生が可能な記録材料膜が蒸着等の方法によって堆積されている。書き換え可能な光ディスクにデータを記録する場合は、記録すべきデータに応じて光量を変調した光ビームを光ディスクに照射し、それによって記録材料膜の特性を局所的に変化させることによってデータの書き込みを行う。
【０００４】
なお、ピットの深さ、トラックの深さ、および記録材料膜の厚さは、光ディスク基材の厚さに比べて小さい。このため、光ディスクにおいてデータが記録されている部分は、２次元的な面を構成しており、「記録面」または「情報面」と称される場合がある。本明細書では、このような面が深さ方向にも物理的な大きさを有していることを考慮し、「記録面（情報面）」の語句を用いる代わりに、「情報層」の語句を用いることとする。光ディスクは、このような情報層を少なくとも１つ有している。なお、１つの情報層が、現実には、相変化材料層や反射層などの複数の層を含んでいてもよい。
【０００５】
光ディスクに記録されているデータを再生するとき、または、記録可能な光ディスクにデータを記録するとき、光ビームが情報層における目標トラック上で常に所定の集束状態となる必要がある。このためには、「フォーカス制御」および「トラッキング制御」が必要となる。「フォーカス制御」は、光ビームの焦点（集束点）の位置が常に情報層上に位置するように対物レンズの位置を情報面の法線方向に制御することである。一方、トラッキング制御とは、光ビームのスポットが所定のトラック上に位置するように対物レンズの位置を光ディスクの半径方向（以下、「ディスク径方向」と称する。）に制御することである。
【０００６】
従来、高密度・大容量の光ディスクとして、ＤＶＤ（Digital Versatile Disc）−ＲＯＭ、ＤＶＤ−ＲＡＭ、ＤＶＤ−ＲＷ、ＤＶＤ−Ｒ、ＤＶＤ＋ＲＷ、ＤＶＤ＋Ｒ等の光ディスクが実用化されてきた。また、ＣＤ（Compact Disc）は今も普及している。現在は、これらの光ディスクよりも更に高密度化・大容量化されたブルーレイディスク（Blu-ray Disc；ＢＤ）やＨＤ−ＤＶＤなどの次世代光ディスクの開発・実用化が進められつつある。
【０００７】
光ディスクの中には、バースト・カッティング・エリア（ＢＣＡ：Burst Cutting Area）と呼ばれる領域や、ナロー・バースト・カッティング・エリア（ＮＢＣＡ：Narrow Burst Cutting Area）を有するものがある。ＤＶＤ−ＲＡＭ、ＤＶＤ−ＲＯＭにはＢＣＡが設けられて、ＤＶＤ−Ｒ、ＤＶＤ−ＲＷにはＮＢＣＡが設けられている。
【０００８】
ＢＣＡおよびＮＢＣＡは、光ディスクの最内周位置の近傍における反射層の一部を加工することによって形成されており、バーコード状のスリットパターンを有している。このようなスリットパターンには、個々の光ディスクに固有な情報が記録されているが、ＢＣＡやＮＢＣＡのパターンは、光ディスクの製造段階で形成され、通常の光ディスク装置によってスリットパターンを書き換えることはできない。
【０００９】
図1（ａ）は、ＢＣＡまたはＮＢＣＡを備える光ディスク１０１の上面を模式的に示す平面図である。図１（ａ）では、ＢＣＡ、ＮＢＣＡが現実のサイズよりも大きく誇張して描かれている。ＢＣＡは半径位置２２．３〜２３．５ｍｍの領域に形成され、ＮＢＣＡは、半径位置２２．７１〜２３．５１ｍｍの領域に形成される。したがって、ＢＣＡの幅（半径方向サイズ）は、１２００μｍ程度であり、ＮＢＣＡの幅（半径方向サイズ）は、８００μｍ程度である。この幅は、トラックピッチの１０００倍を超える大きさである。
【００１０】
ＢＣＡおよびＮＢＣＡに形成される反射膜のスリット幅は、３０〜１２０μｍ程度である。ＢＣＡおよびＮＢＣＡで反射される光ビームの光量振幅の変調周波数は、光ディスクの回転速度に依存するが、典型的には、２８ｋＨｚ〜１１２ｋＨｚ程度の大きさを有している。これに対して、ユーザデータなどの主情報が記録される領域で反射される光ビーム光量振幅の変調周波数は、上記の周波数範囲よりも充分に高く、主情報の再生信号は「高周波信号」である。このため、本願明細書では、ユーザデータなどの主情報が記録される領域を「ＲＦ記録領域」と称することにする。ＲＦ記録領域から再生される信号は、種々の情報を含みえるが、通常、セクタアドレスなどのアドレス情報も含んでいる。アドレス情報は、光ビームの照射位置がどのトラック上にあるかを検知するために用いられる。
【００１１】
なお、ＲＦ記録領域には、暗号化されたユーザデータが書き込まれる場合がある。このような場合、ＢＣＡまたはＮＢＣＡに記録されている個々の光ディスクに固有な情報を暗号鍵として暗号の解読が行われる。したがって、光ディスク装置が光ビームの照射位置をＢＣＡまたはＮＢＣＡ上に移動させ、しかも、ＢＣＡまたはＮＢＣＡに記録されている情報を正確に読み出すことができなければ、ＲＦ記録領域に記録されている情報を読み出して解読することはできない。
【００１２】
ＢＣＡまたはＮＢＣＡから情報を読み出すことのできる光ディスク装置は、ロードされた光ディスクのＲＦ記録領域からデータを再生し、あるいはＲＦ記録領域にユーザデータを書き込む動作を実行する前に、ＢＣＡやＮＢＣＡにアクセスし、ＢＣＡやＮＢＣＡに記録されている情報を読み出すことになる。ＢＣＡやＮＢＣＡに記録されている情報は、暗号鍵の生成に利用されたり、再生が許可されているか否かの判断に用いられる。
【００１３】
図1（ｂ）は、ＢＣＡとＲＦ記録領域との位置関係を模式的に示す光ディスク１０１の部分断面図であり、図1（ｃ）は、ＮＢＣＡとＲＦ記録領域との位置関係を模式的に示す光ディスク１０１の部分断面図である。
【００１４】
ＤＶＤ−ＲＯＭやＤＶＤ−ＲＡＭでは、図１（ｂ）に示されるように、ＢＣＡがＲＦ記録領域と重なるように形成されている。すなわち、ＢＣＡは、ＲＦ記録領域のリードインエリア内に配置されている。一方、ＮＢＣＡは、図１（ｃ）に示すように、ＲＦ記録領域とは重ならず、ＲＦ記録領域よりもディスク中心に近い位置に形成されている。
【００１５】
ＲＦ記録領域には、スパイラル状に延びるトラックが存在しているため、ＲＦ記録領域からはトラッキングエラー信号を生成することが可能である。一方、ＲＦ記録領域よりもディスク中心側に近い領域では、情報トラックが形成されておらず、ＲＦ信号も記録されていない。このため、ＲＦ記録領域よりもディスク中心側に近い領域を「ＲＦ未記録領域」と称することができる。このようなＲＦ未定記録領域からはトラッキングエラー信号を再生することはできず、トラッキングサーボ制御を行うことはできない。
【００１６】
ＮＢＣＡは「ＲＦ未定記録領域」上に形成されているため、光ビームの照射位置をＮＢＣＡ上に移動させた後、トラッキングサーボ制御を実行することはできない。しかし、前述のようにＮＢＣＡの幅（径方向サイズ）は８００μｍ程度もあるため、光ビームの照射位置をＮＢＣＡ上に移動させることができれば、トラッキングサーボ制御をオフ状態にした状態でも、光ビームの照射位置が短時間でＮＢＣＡから外れることはなく、ＮＢＣＡの情報を読み出すことが可能である。
【００１７】
次に、図２を参照しながら、ＢＣＡを有する光ディスク７０１のＢＣＡからデータを再生することができる従来の光ディスク再生装置の構成を説明する。
【００１８】
図２の光ディスク再生装置は、光ディスク７０１を回転させるモータ７０２と、光ディスク７０１を光ビームで照射し、反射光から電気信号を生成する光ピックアップ７０３と、光ディスク７０１の半径方向に光ピックアップ７０３の基台を移動させる送り機構７０６と、上記構成要素を制御する制御部２００とを備えている。
【００１９】
光ピックアップ７０３は、光ビームを放射する光源（不図示）と、光ビームを集束する対物レンズ１２０と、対物レンズ１２０の位置を制御するレンズアクチュエータ（不図示）と、光ディスク７０１で反射された光ビームの少なくとも一部から電気信号を生成する光量検出器（不図示）とを備えている。
【００２０】
制御部２００は、光ピックアップ７０３が生成する電気信号に基づいて主情報に含まれたセクタアドレスを復調するアドレス復調部７０４と、上記電気信号からＢＣＡ信号を復調するＢＣＡ復調部７０５と、送り機構７０６を駆動して光ピックアップ７０３の位置を制御するトラバース制御部７０７と、光ピックアップ７０３内の対物レンズの位置を光ディスク７０１の半径方向に制御するトラッキング制御部７０８と、これらの動作を制御するマイクロコンピュータ７０９とを備えている。
【００２１】
光ディスク７０１のＢＣＡからＢＣＡ信号を再生しようとする場合、マイクロコンピュータ７０９は、アドレス復調部７０４によって復調されたセクタアドレスに応じて、光ピックアップ７０３をディスク内周側に移動させ、光ビームの照射位置をＢＣＡに到達させる。このとき、光ピックアップ７０３は、トラバース制御部７０７およびトラッキング制御部７０８を用いて移動させられる。光ビームの照射位置がＢＣＡに到達すると、ＢＣＡから反射される光ビームに基づいて、ＢＣＡ復調部７０５がＢＣＡ信号の復調を行い、ＢＣＡに記録されていたデータが読み出される。
【００２２】
マイクロコンピュータ７０９は、セクタアドレスを復調するとき、およびＢＣＡを復調するとき、トラッキングサーボ制御をオン状態にする。トラッキングサーボ制御をオン状態にするとき、トラッキングエラー信号検出部７１０で検出されたトラッキングエラー信号に基づいてトラッキング制御部７０８が対物レンズ１２０の位置（ディスク径方向位置）を制御し、トラバース制御部７０７が光ピックアップ７０３の基台の位置ディスク径方向位置）を制御する。こうして、光ビームの照射位置を光ディスク７０１の目標トラック上に位置させることになる。
【００２３】
次に、図３を参照しつつ、図２の光ディスク再生装置の動作を説明する。
【００２４】
まず、光ビームの照射位置が光ディスク７０１のＲＦ記録領域内に来るように光ピックアップ７０３の位置を調整した後、ステップ８０１において、トラッキングサーボ制御をオン状態にする。トラッキングサーボ制御は、図２のトラッキング制御手段７０８によって行う。この後、ステップ８０２において、アドレス復調部７０４が光ディスク７０１のＲＦ記録領域からセクタアドレスを読み取る。このセクタアドレスに基づいて、光ディスク７０１上における光ビーム照射位置を正確に把握することができる。
【００２５】
ステップ８０３において、光ディスク７０１におけるＲＦ記録領域の最内周側に位置するリードインエリアへ光ビーム照射位置を移動する。リードインエリアにはＢＣＡの有無が記録されている。ステップ８０４において、リードインデータの内容から「ＢＣＡ有り」と判断すると、ステップ８０５において、アドレスを読みながら光ビーム照射位置を光ディスク７０１のＢＣＡに移動する。この移動に際して、トラッキングサーボ制御はオフにし、光ビームが横切るトラックの数を計数する。所定数のトラックを横切った段階で、光ビーム照射位置がＢＣＡ内に達したと判断することが可能である。横切るトラックの数に基づいて光ビーム照射位置がＢＣＡ内に達したと判断されたときは、トラッキングサーボ制御を動作させ、光ディスク７０１からアドレスを読み出す。このアドレスに基づいて、ＢＣＡに達したか否かを確認することができる。
【００２６】
ステップ８０６において、光ビーム照射位置がＢＣＡに到達したことを確認したならば、図２のＢＣＡ復調回路７０５がＢＣＡからＢＣＡコードを読み取る。
【００２７】
次に、トラバース制御部７０７によって光ピックアップ７０３を移動させ、光ビーム照射位置をＲＦ記録領域に戻した後、ステップ８０７において、再生動作を開始する。このとき、ＢＣＡコードを用いて再生動作を実行する。
【００２８】
ステップ８０４において、リードインデータの内容から「ＢＣＡなし」と判断すると、光ビーム照射位置をＲＦ記録領域に移動させ、ステップ８０７の再生動作を開始することになる。
【００２９】
なお、ステップ８０３におけるリードインエリアへの移動と、ステップ８０５におけるＢＣＡへの移動を行うときは、トラッキングサーボ制御を一時的にオフ状態にするが、アドレスおよびＢＣＡの読み出しを行うときは、トラッキングをオン状態にしている。
【００３０】
光ビームの照射位置がＢＣＡ、ＮＢＣＡ上に到達したか否かを検出する方法は、特許文献２に開示されている。
【特許文献１】特開２００１−２２２８２１号公報（第１４図）
【特許文献２】国際公開第０５／１２２１５０号パンフレット
【発明の開示】
【発明が解決しようとする課題】
【００３１】
上記の光ディスク再生装置では、ＢＣＡを読み取ることはできても、ＲＦ記録領域よりもディスク中心に近い領域に位置するＮＢＣＡを読み取ることはできない。その理由は、ＮＢＣＡが形成されている位置には、トラックが存在せず、ＲＦ信号に含まれるセクタアドレスが与えられていないからである。
【００３２】
従来の光ディスク装置を用いて、ＮＢＣＡを読み取るためには、光ビームの照射位置をＲＦ記録領域の最内周エッジ部分まで移動させた後、その位置から所定のトラック数に相当する距離だけ、光ビームの照射位置をディスク中心側に移動させれば良い。光ビームの照射位置を所定のトラック数だけ正確に移動させるには、トラッキングサーボ制御を実行する必要があるが、前述のようにトラックの存在しないＲＦ未記録領域からはトラッキングエラー信号を得ることはできない。
【００３３】
このような問題を解決するには、光ピックアップをディスク径方向に極めて正確に移動させ得る位置決め精度の高い高性能モータ（例えばステッピングモータ）が必要になる。しかし、ステッピングモータのように位置決め精度の高いモータは高価であり、また、通常の光ディスク再生装置では、ＮＢＣＡの読み出し動作以外には、位置決め精度の高いモータは不要である。したがって、不要な機能によるコストアップを避けるため、一般の光ディスク再生装置では、位置決め精度が相対的に低く安価であるＤＣモータが用いられている。
【００３４】
以上の状況のもと、位置決め精度の低いＤＣモータによって光ピックアップの送り機構を構成している場合、ＲＦ記録領域の最内周エッジ部分から所定のトラック数に相当する距離だけディスク中心側に光ビームの照射位置を正確に移動させることはできない。ＲＦ記録領域の最内周側エッジからＮＢＣＡまでの距離（ギャップ）は、３００μｍ程度である。仮にＮＢＣＡの中央部を目指して光ピックアップのトラバース動作を行っても、実際に光ピックアップが移動する距離は不定（１００〜３００μｍ程度）であり、また移動先の光ピックアップの位置を検出することもできない。このため、ステッピングモータのように高価なモータを採用しない限り、ＮＢＣＡの情報の読み出しが可能な光ディスク再生装置を製造できず、安価な普及製品では、ＲＦ記録領域の暗号化データを解読することができないという問題がある。
【００３５】
また、ＮＢＣＡの中央部を目指して光ピックアップのトラバース動作を行い、比較的再現性良くＮＢＣＡの中央付近に移動できたとしても、その位置のＮＢＣＡにダストや傷が存在するなどしてＮＢＣＡデータを適切に再生できなかった場合にも問題が生じる。この問題は、ＤＣモータによる光ピックアップの最小移動距離を所定距離（典型的には３００μｍ）よりも小さい値に設定することができないために生じる。すなわち、光ピックアップを５０μｍだけ移動させることを目的として必要な電気信号をＤＣモータに与えても、ＤＣモータは全く駆動されず、光ピックアップの微小な移動が生じない。このため、ＮＢＣＡの中央付近に光ピックアップを移動させることができたとしても、その位置でＮＢＣＡデータを読み出せなかった場合は、光ピックアップの位置をＮＢＣＡ内で微小に変位させることができなくなる。
【００３６】
このような問題は、ＮＢＣＡについて顕著に生じるが、図２の装置でＢＣＡを読み出す場合でも、ＢＣＡのスリット部分でトラッキングサーボ制御が不安定となり、その結果、光ビームの照射位置をＢＣＡへ確実に移動することができないという問題もある。
【００３７】
本発明は、上記課題を解決するためになされたものであり、ＲＦ信号未記録部分におけるトラッキングサーボ制御ができない場合において、ＮＢＣＡおよびＢＣＡの読み出しを安定的に行うことができる光ディスク再生装置を提供するものである。
【課題を解決するための手段】
【００３８】
本発明の光ディスク再生装置は、バースト・カッティング・エリアが設けられた光ディスクの前記バースト・カッティング・エリアから情報を読み出すことができる光ディスク再生装置であって、光ビームを放射する光源、前記光ビームを前記光ディスクに集束する対物レンズ、前記対物レンズの位置を制御するレンズアクチュエータ、および前記光ディスクによって反射された前記光ビームの少なくとも一部から電気信号を生成する光検出器を有する光ピックアップと、前記光ピックアップを前記光ディスクの半径方向に移動させる送り機構と、前記光ディスク上における前記光ビームの照射位置が前記バースト・カッティング・エリア内に位置するか否かを前記電気信号に基づいて判定する領域判定手段とを備え、前記バースト・カッティング・エリアから情報を読み出すとき、  前記対物レンズによって集束される光ビームの前記光ディスク上における照射位置が前記バースト・カッティング・エリア内に位置するか否かを前記領域判定手段によって判定するステップＡと、 前記ステップＡにおいて、前記対物レンズによって集束される光ビームの前記光ディスク上における照射位置が前記バースト・カッティング・エリア内に位置しないと判定したときは、前記送り機構によって前記光ピックアップをディスク中心に近づけるステップＢと、 前記レンズアクチュエータにより、前記光ピックアップ内における異なる複数のレンズ位置に前記対物レンズを順次配置するステップＣと、 を実行し、前記ステップＣを実行後にさらに前記ステップＡを実行し、前記ステップＡにおいて、前記領域判定手段が前記対物レンズによって集束される光ビームの前記光ディスク上における照射位置が前記バースト・カッティング・エリア内に位置すると判定するまで、前記ステップＡ、ステップＢ及びステップＣを繰り返す。
【００４１】
好ましい実施形態において、前記光ピックアップ内における前記複数のレンズ位置の間隔は、前記ステップＤにおける光ピックアップの移動距離よりも短く設定されている。
【００４２】
好ましい実施形態において、前記レンズアクチュエータによって前記光ピックアップ内における異なる複数のレンズ位置に前記対物レンズを順次配置するとき、前記対物レンズをディスク中心に近づけるステップを複数回実行する。
【００４３】
好ましい実施形態において、前記レンズアクチュエータによって前記光ピックアップ内における異なる複数のレンズ位置に前記対物レンズを順次配置するとき、前記対物レンズをディスク中心から遠ざけるステップを少なくとも１回実行する。
【００４４】
好ましい実施形態において、前記第１のピックアップ位置は、再生信号記録領域の最内周エッジよりもディスク外周側に設定される。
【００４５】
好ましい実施形態において、前記領域判定手段は、前記光ディスクによって反射された光ビームの光量変化に基づいて、前記光ビームの前記光ディスク上における照射位置が前記バースト・カッティング・エリア内に位置するか否かを判定する。
【００４６】
好ましい実施形態において、前記光ディスク上における前記光ビームの照射位置が前記バースト・カッティング・エリア内に位置すると判定された場合、前記バースト・カッティング・エリアから情報を読み出す前に、前記光ビームの照射位置を前記バースト・カッティング・エリアの中央部に近づける動作を行う。
【００４７】
好ましい実施形態において、前記バースト・カッティング・エリアは、ナローバーストカッティングエリアである。
【００４８】
好ましい実施形態において、前記送り機構はＤＣモータを備えており、前記ＤＣモータの回転によって前記光ピックアップを前記光ディスクの半径方向に移動させる。
【００４９】
本発明による光ディスク再生装置の駆動方法は、光ビームを放射する光源、前記光ビームを光ディスクに集束する対物レンズ、前記対物レンズの位置を制御するレンズアクチュエータ、および前記光ディスクによって反射された前記光ビームの少なくとも一部から電気信号を生成する光検出器を有する光ピックアップを備える光ディスク再生装置の駆動方法であって、バースト・カッティング・エリアが設けられた光ディスクの前記バースト・カッティング・エリアから情報を読み出すとき、前記対物レンズによって集束される光ビームの前記光ディスク上における照射位置が前記バースト・カッティング・エリア内に位置するか否かを判定するステップＡと、前記ステップＡにおいて、前記対物レンズによって集束される光ビームの前記光ディスク上における照射位置が前記バースト・カッティング・エリア内に位置しないと判定したときは、前記光ピックアップをディスク中心に近づけるステップＢと、前記レンズアクチュエータにより、前記光ピックアップ内における異なる複数のレンズ位置に前記対物レンズを順次配置するステップＣと、を実行し、前記ステップＣを実行後にさらに前記ステップＡを実行し、前記ステップＡにおいて、前記対物レンズによって集束される光ビームの前記光ディスク上における照射位置が前記バースト・カッティング・エリア内に位置すると判定するまで、前記ステップＡ、ステップＢ及びステップＣを繰り返す。
【発明の効果】
【００５０】
本発明によれば、位置決め精度の高い高価なモータを用いなくても、トラッキングサーボ制御を実行しない状態で光ビームの照射位置を細かく変位させることにより、光ビームの照射位置を確実にＮＢＣＡやＢＣＡに導くことが可能になる。
【発明を実施するための最良の形態】
【００５１】
本発明の光ディスク再生装置では、位置決め精度が相対的に低い送り機構のトラバース動作に、微小ピッチでの移動が可能な対物レンズのシフトを組み合わせることにより、位置決め精度の高い高価なモータを用いずとも、トラッキングエラー信号が生成できない領域に存在するＮＢＣＡへ光ビームの照射位置を着実に移動させることが可能である。
【００５２】
なお、簡単のため、本明細書における「バースト・カッティング・エリア」の用語は、通常の「ＢＣＡ」のみならず、「ＮＢＣＡ」をも含むものとする。
【００５３】
以下、本発明の好ましい実施形態を説明する。
【００５４】
（実施形態１）
図４を参照しながら、本発明による光ディスク再生装置の第１の実施形態を説明する。本実施形態の光ディスク再生装置は、ＮＢＣＡを有する光ディスク１０１のＮＢＣＡからデータ（ディスク固有情報など）を読み出すことができる。
【００５５】
この光ディスク再生装置は、光ディスク１０１を回転させるスピンドルモータ１０２と、光ディスク１０１を光ビームで照射し、その反射光から電気信号を生成する光ピックアップ１０３と、光ディスク１０１の半径方向に光ピックアップ１０３の基台を移動させる送り機構１０６と、上記構成要素を制御する制御部２００とを備えている。
【００５６】
制御部２００は、光ピックアップ１０３が生成する電気信号に基づいて光ビーム照射位置がＮＢＣＡの領域内に位置するか否かを判定するＮＢＣＡ内外判定部１０４と、上記電気信号からＮＢＣＡ信号を復調するＮＢＣＡ復調部１０５と、送り機構１０６を駆動して光ピックアップ１０３の位置を制御するトラバース制御部１０７と、光ピックアップ１０３内の対物レンズの位置を光ディスク１０１の半径方向に制御するトラッキング制御部１０８と、これらの動作を制御するマイクロコンピュータ１０９とを備えている。
【００５７】
次に、図５（ａ）および図５（ｂ）を参照して、光ピックアップ１０３における対物レンズ１２０の駆動を説明する。図５（ａ）は、矢印Ｘで示されるトラッキング方向（光ディスクの半径方向）の移動を示す図であり、図５（ｂ）は、矢印Ｙで示されるフォーカシング方向（光ディスクの表面に対して垂直な方向）の移動を示す図である。図５（ｂ）の紙面に平行な平面は、図５（ａ）における矢印Ｘと直交している。図５（ｂ）に示すレンズアクチュエータ１７０は、図５（ａ）では対物レンズ１２０の手前に位置するが、簡単のため、その記載を図５（ａ）では省略している。
【００５８】
光ピックアップ１０３は、図５（ａ）および図５（ｂ）に示されるように、レーザ光を放射する光源１１０ａと、光ディスク１０１からの反射光を受けて電気信号を生成する光検出器１１０ｂと、レーザ光を光ディスク１０１上に集束する対物レンズ１２０と、対物レンズ１２０を保持するレンズホルダ１３０と、弾性力を有するワイヤ１４０を介してレンズホルダ１３０を支持する支持部１５０と、支持部１５０が固定された基台１６０と、対物レンズ１２０およびレンズホルダ１３０の位置を基台１６０に対して矢印Ｘおよび矢印Ｙの方向に移動させるレンズアクチュエータ１７０とを備えている。
【００５９】
現実の光ピックアップ１０３は、不図示のビームスプリッタや位相差板を備えているが、それは公知の構成要素であり、その詳細な説明は省略する。また、図５（ａ）および図５（ｂ）では、光源１０１ａや対物レンズ１２０が１つだけ図示されているが、それらの個数は複数であってもよい。
【００６０】
基台１６０の矢印Ｘ方向の位置は、図４に示される送り機構１０６によって制御される。本実施形態の送り機構１０６は、ＤＣモータによって光ピックアップ１０３を移動させる。具体的には、送り機構１０６はＤＣモータの回転力をギヤやスクリューを用いて直線動作に変換する駆動力伝達機構（不図示）を備えている。このような送り機構１０６によれば、光ピックアップ１０３の基台１６０を最小３００μｍ程度の間隔で矢印Ｘ方向に移動させることができるが、その位置決め精度は、１５０〜３００μｍ程度と粗い。
【００６１】
一方、対物レンズ１２０の基台１６０に対する矢印Ｘ方向の位置決め精度は、レンズアクチュエータ１７０によって規定され、その大きさは、トラッキングサーボ制御をオフした状態でも５〜１０μｍ程度である。レンズアクチュエータ１７０は、供給される駆動電流に応じて磁界を形成し、基台１６０に対する対物レンズ１２０の相対位置を磁力によって高精度で制御することができる。
【００６２】
本実施形態では、光ビームの照射位置を確実にＮＢＣＡに運ぶため、送り機構１０６による粗い送り動作（トラバース動作）とレンズアクチュエータ１７０による対物レンズ１２０の細かい送り動作（レンズシフト）とを組み合わせている。
【００６３】
以下、これらの２種類の送り動作を組み合わせることにより、トラッキングサーボ制御を行わない状態でも、光ビームの照射位置を確実にＮＢＣＡに運ぶことができることを説明する。
【００６４】
まず図６を参照する。図６は、光ビームの照射位置を光ディスク１０１のＲＦ記録領域からＮＢＣＡに移動させる過程を示す図である。前述の通り、ＮＢＣＡは、ＲＦ記録領域よりもディスク中心に近い領域（ＲＦ未記録領域）に存在する。
【００６５】
図６において、矢印２０１は光ピックアップの基台１６０の移動を示し、矢印２０２は対物レンズ１２０の移動を示している。また、位置Ａ１〜Ａ５は、それぞれ、光ピックアップ１０３が順次停止したときの基台１６０の中心位置（ピックアップ位置）を示している。すなわち、最初、基台１６０の中心が位置Ａ１にあったとすると、送り機構１０６の働きにより、位置Ａ１から位置Ａ２へ、そして、位置Ａ２から位置Ａ３へと、順次、基台１６０が移動してゆく。図では、位置Ａ１〜Ａ５の間隔が相互に等しく記載されているが、現実には、送り機構１０６の位置決め精度が低いため、この間隔はバラツキを有している。また、光ディスク１０１も幾らかの偏心を有しているため、光ディスク１０１の回転に伴い、光ビームの照射位置も径方向にずれる。このため、送り機構１０６により、例えば位置Ａ１から位置Ａ２に基台１６０を移動させたときも、位置Ａ２の実際の位置（径方向位置）を厳密に知ることはできない。
【００６６】
送り機構１０６の位置決め精度が数百μｍであるため、光ビームの照射位置を、ＲＦ記録領域からＮＢＣＡに移動させるとき、ＲＦ記録領域から一気にＮＢＣＡに光ビームの照射位置を移動させようとすると、光ビームの照射位置がＮＢＣＡを通り越してしまう危険もある。仮に、ＲＦ記録領域から一気にＮＢＣＡに光ビームの照射位置を移動させることができたとしても、その位置でＮＢＣＡデータを読み出せなかった場合は、前述したように、送り機構１０６によっては基台１６０をＮＢＣＡ内で微小に移動させることができなくなる。
【００６７】
そこで、本実施形態では、送り機構１０６の駆動を可能な限り細かく制御し、位置Ａ１〜Ａ５の間隔を充分に小さくする（約３００μｍ）とともに、各位置Ａ１〜Ａ５でレンズアクチュエータ１７０により対物レンズ１２０の位置を高精度にシフトさせ、光ビーム照射位置がＮＢＣＡ上に位置するか否かを検知しようとしている。例えば、位置Ａ３に基台１６０の中心があるとき、対物レンズ１２０の中心をレンズ位置Ｂ１からレンズ位置Ｂ５まで５段階で移動させる。対物レンズ１２０の可動範囲は、ディスク径方向に例えば３００μｍ程度またはそれ以上である。対物レンズ１２０の移動回数を４回に設定すると、位置Ｂ１〜Ｂ５の間隔は、３００／５＝６０μｍに設定することができる。対物レンズ１２０の１回の移動距離は、光ピックアップ１０３の１回の移動距離よりも小さく設定される必要があるが、例えば１０μｍ以上１００μｍ以下の範囲内に設定することが好ましい。レンズシフトの距離を短くすれば、レンズシフトの回数が増加するため、多数のシフト動作を完了するために要する時間が長くなる。個々のピックアップ位置におけるレンズシフトの回数は、例えば３〜３０程度に設定され得る。
【００６８】
図６に示す例では、光ピックアップ１０３が位置Ａ３にある場合において、対物レンズ１２０がレンズ位置Ｂ１〜Ｂ３にあるときの光ビーム照射位置は、ＮＢＣＡ上に到達していない。しかし、対物レンズ１２０がレンズ位置Ｂ４〜Ｂ５にあるとき、光ビーム照射位置はＮＢＣＡ上にある。
【００６９】
光ビームの照射位置がＮＢＣＡ上にあるか否かは、図４に示すＮＢＣＡ内外判定部１０４によって判定することができる。送り機構１０６によって光ピックアップ１０３の位置をディスク中心に近づけ、個々のピックアップ位置において対物レンズ１２０の位置を変化させるごとに、光ビームの照射位置がＮＢＣＡ上にあるか否かをＮＢＣＡ内外判定部１０４によって判定する必要がある。以下、図７を参照して、ＮＢＣＡ内外判定部１０４の動作を説明する。
【００７０】
図７（ａ）から（ｃ）は、光ピックアップ１０３によって得られる再生信号の波形図である。光ディスク１０１のＲＦ記録領域には、反射率が相対的に低い記録マークが多数形成されているため、ＲＦ記録領域から得られる再生信号は、図７（ｃ）に示すように高い周波数で変化する。また、光ディスク１０１のＲＦ未記録領域では、反射率が一定かつ高い値に保持されているため、ＲＦ未記録領域から得られる再生信号は、図７（ｂ）に示すように、略一定である。ただし、ＲＦ未記録領域のうち、反射膜にスリットが形成されたＮＢＣＡからは、図７（ａ）に示すようスリット部分で振幅の低下した再生信号が得られる。
【００７１】
したがって、図７（ａ）から図７（ｃ）に示すように検出レベル（閾値）を適切な値に設定し、再生信号のレベルが検出レベル以下となる期間（スリット部分に対応）を計測すれば、光ビームの照射位置がＮＢＣＡ上にあるか否かを検知することが可能である。この「検出レベル」は、ＮＢＣＡのスリット部分（反射膜が除去された部分）における反射光強度の低下を検知する大きさに設定される必要があり、反射膜が存在する領域の反射光強度よりも低く、ＮＢＣＡのスリット部分からの反射光強度よりも高い値に設定される。この検出レベルの大きさは、光ディスクの種類に応じて適宜変更されても良い。
【００７２】
本実施形態では、再生信号が検出レベル以下となる期間の割合が規定値（例えば８．３％）以上となったとき、光ビームの照射位置がＮＢＣＡにあると判定する。このように、短時間でも再生信号が検出レベル以下となった場合に光ビーム照射位置が「ＮＢＣＡ」領域内にあると直ちに決定しない理由は、光ディスク１０１の表面に存在する傷やダストを光ビームが横切ると、一時的に反射光の光量が低下する場合があり、そのような場合を誤って「ＮＢＣＡ領域内」と判定しないようにするためである。
【００７３】
ＮＢＣＡ内外判定部１０４による判定動作は、実際にＮＢＣＡに記録されている情報を読み出すことなく実行できるため、高速な判定が可能になる。ＮＢＣＡに記録されている情報を読み出すには、再生信号に基づいてＢＣＡデータを復調する必要があり、そのために余分の時間を費やすことになる。
【００７４】
次に、図８（ａ）から図８（ｆ）を参照しつつ、ピックアップ１０３の基台１６０および対物レンズ１２０の送り動作を詳しく説明する。図８（ａ）から図８（ｆ）は、基台１６０および対物レンズ１２０の送り動作を模式的に示す図面である。図８（ａ）は、送り動作の開始時における基台１６０および対物レンズ１２０の位置を示しており、図８（ｂ）は、所定時間（例えば２０ミリ秒〜４０ミリ秒）経過後における基台１６０および対物レンズ１２０の位置を示している。図８（ｃ）から図８（ｆ）は、送り動作が順次実行された状態を示している。また、図８の左側に記載されている破線枠内のスポットＳ１〜Ｓ６は、図８（ａ）から図８（ｆ）の各々の段階における光ビームの照射位置を模式的に示している。時間の経過に伴って、光ビームの照射位置が左側（ディスク中心側）に移動していることが示されている。
【００７５】
本実施形態では、図８（ａ）から図８（ｃ）に示すように、基台１６０を第１のピックアップ位置に移動させた後、基台１６０を動かさない状態で、対物レンズ１２０をディスク中心側に移動させている。この対物レンズ１２０の移動は、光ピックアップ１０３が備えるレンズアクチュエータ１７０によって行うため、その位置決め精度は高い。
【００７６】
次に、図８（ｄ）に示すように基台１６０をディスク中心側の第２のピックアップ位置に移動させるとともに、対物レンズ１２０をディスク中心から離れる方向に移動させている。光ピックアップ１０３の移動は、送り機構１０６によるため、その移動距離は正確に把握することは難しい。
【００７７】
この後、図８（ｅ）から図８（ｆ）に示すように、基台１６０を動かさない状態で、対物レンズ１２０をディスク中心側に移動させている。
【００７８】
上記の送り動作を実行しながら、ＮＢＣＡ内外判定部１０４によるＮＢＣＡの検知を実行する。図６に示す例では、光ピックアップ１０３が位置Ａ３にあるとき、対物レンズ１２０がレンズ位置Ｂ４に来たとき、ＮＢＣＡ内外判定部１０４によってＮＢＣＡが検知されることになる。なお、ＮＢＣＡの検知処理自体は、光ピックアップ１０３内における対物レンズ１２０を移動（レンズシフト）した時に限らず、基台１６０を移動した時に行っても良い。
【００７９】
次に、図４および図６を参照して、本実施形態の光ディスク再生装置の初期動作を説明する。
【００８０】
本実施形態の光ディスク再生装置は、起動後、または光ディスク１０１がロードされると、まず光ディスク１０１からコントロールデータを読み出すことにより、ロードされた光ディスク１０１がＮＢＣＡを備える光ディスクか否かを判断する。コントロールデータは、主情報の一部であり、ＲＦ信号として記録されている。図６の例では、コントロールデータを読み出しているときの光ピックアップは位置Ａ１にあり、トラッキングサーボ制御が動作している。
【００８１】
ＮＢＣＡの読み出しを開始する場合、マイクロコンピュータ１０９はトラッキング制御部１０８のトラッキング制御をオフ状態にする。次に、トラバース制御部１０７を用いて光ディスク１０１の内周方向へ基台１６０を移動させる。送り機構１０６のＤＣモータに所定の大きさの電流または電圧が所定期間だけ与えられるが、それによって生じる光ピックアップ１０３の移動距離は、前述のように再現性が低く、ばらつきやすい。図６の例では、光ピックアップ１０３は位置Ａ２に移動する。
【００８２】
この後、トラッキング制御部１０８を用いて対物レンズ１２０を光ディスク１０１の径方向に沿って異なる複数のレンズ位置Ｂ１〜Ｂ５に移動させる。対物レンズ１２０をレンズ位置Ｂ１〜Ｂ５内で移動させる順序は任意である。例えば、最初に対物レンズ１２０を最も外周側のレンズ位置Ｂ１に配置した後、ＮＢＣＡ内外判定部１０４により、光ビームの照射位置がＮＢＣＡ内にあるか否かを判定する。ＮＢＣＡ外と判定した場合は、対物レンズ１２０を内周方向へ移動させ、レンズ位置Ｂ２においてＮＢＣＡ内外判定をする。
【００８３】
対物レンズ１２０が１度に移動する距離は基台１６０が１度に移動する距離に比べて短い。
【００８４】
基台１６０の相対的に粗い移動と対物レンズ１２０の相対的に細かい移動の組み合わせにより、光ビーム照射位置を微小に変化させることが可能となる。本実施形態では、ＮＢＣＡ内外判定を行いつつ、光ビーム照射位置をＲＦ記録領域から微小ピッチで移動させるため、確実にＮＢＣＡを検出することが可能になる。
【００８５】
光ビーム照射位置がＮＢＣＡ上に到達したならば、ＮＢＣＡ復調部１０５でＮＢＣＡデータを読み出す。なお、光ビーム照射位置がＮＢＣＡにおけるディスク外周端に近い場合において、光ディスク１０１が偏心していると、光ディスク１０１の回転に伴って光ビーム照射位置がＮＢＣＡから外れてしまう可能性がある。ＮＢＣＡデータを確実に読み出すためには、光ビーム照射位置をＮＢＣＡのディスク外周端よりもＮＢＣＡの中心部に近づけておくことが好ましい。
【００８６】
光ビーム照射位置がＮＢＣＡのディスク外周端の近傍に位置するか否かは、図７（ａ）に示す波形と図７（ｂ）に示す波形とが交互に出現することから検知できる。すなわち、再生信号のレベルが検出レベル以下となる期間（スリット部分に対応）が所定期間を超えて出現しない場合は、光ビーム照射位置がＮＢＣＡから外れていると判定することができる。そのような場合は、ＮＢＣＡデータの読み出し動作を行なう前に、光ビーム照射位置をＮＢＣＡの中央部に向けて移動させることが好ましい。具体的には、光ピックアップ１０３内で対物レンズ１２０をディスク内周側に微小距離（例えば数十μｍ〜１００μｍ程度）シフトさせても良いし、また、光ピックアップ１０３自体をディスク内周側に移動させても良い。ただし、光ピックアップ１０３の移動は、送り機構１０６によって行う必要があるため、最小移動距離を３００μｍ以下に設定することが難しく、また位置決め精度が１５０〜３００μｍ程度もある。ＮＢＣＡの幅が８００μｍ程度であることを考慮すると、光ピックアップ１０３を移動させることなく対物レンズ１２０をディスク内周側に移動させることが好ましい。光ビーム照射位置がＮＢＣＡに達したことを検知した場合は、その光ビーム照射位置がディスク外周端近傍であるか否かにかかわらず、一律的に対物レンズ１２０をディスク内周側に所定距離だけ移動させるようにしてもよい。
【００８７】
こうして、光ビーム照射位置がＮＢＣＡの内部に確実に入った後、ＮＢＣＡ復調部１０５でＮＢＣＡデータの読み出しを行い、ＮＢＣＡデータの読み出しに成功した場合、ＮＢＣＡ読み出し動作は終了する。しかし、ＮＢＣＡ上に存在する傷などを原因としてＮＢＣＡデータを読み出せない場合がある。このような場合は、更にディスク内周側に微小距離だけ光ビーム照射位置を移動させ、ＮＢＣＡデータの読み出しにリトライする。ＮＢＣＡ読み出し不可が連続した結果、光ビーム照射位置がＮＢＣＡ外となったときは、光ビーム照射位置の移動を停止する。その後は、ＲＦ記録領域に移動し、ＲＦ記録領域に対してＮＢＣＡ情報の不要な再生動作を開始する。
【００８８】
以上のように、本実施形態の光ディスク再生装置によれば、ＲＦ信号未記録部分でトラッキングサーボ制御が制御不可であっても、送り機構の位置決め精度を高めるために高価なモータを用いることなく、ＮＢＣＡの読み出しが可能になる。
【００８９】
なお、光ピックアップ１０３の停止位置において対物レンズ１２０を複数のレンズ位置間で移動させる順序は、前述した例に限定されない。例えば、図９（ａ）から図９（ｆ）に示すように、各ピックアップ位置において、対物レンズ１２０を最外周側から最内周側に移動させた後、中心位置に戻しても良い。また、図１０（ａ）から図１０（ｆ）に示すように、各ピックアップ位置において、対物レンズ１２０の移動方向を反転させてもよい。更に、各ピックアップ位置におけるレンズ位置の数も複数であればよく、３または５個に限定されない。
【００９０】
また、ＲＦ記録領域からＮＢＣＡに向けて光ピックアップ１０３を最初に移動させるとき、一度の移動でＮＢＣＡ内に達するように光ピックアップ１０３の移動距離を設定しても良い。その場合、光ピックアップ１０３を最初に移動した後、領域判定を行い、光ビーム照射位置がＮＢＣＡ内にあると判定されたならば、その位置でレンズシフトを行うことなくＮＢＣＡデータを読み出しても良い。ダストや傷などの原因により、その位置ではＮＢＣＡデータを読み出させない場合があり得る。そのような場合には、光ピックアップ１０３を停止させたまま、微小な距離（例えば１０〜１００μｍ）のレンズシフトを行った後、ＮＢＣＡデータの読み出しを行うようにしてもよい。このようなレンズシフトにより、光ビーム照射位置がＮＢＣＡ内から外れてしまったと判定されたときは、光ビーム照射位置がＮＢＣＡ内に復帰するようにレンズシフトを行い、ＮＢＣＡ内に復帰した後、ＮＢＣＡデータを読み出せばよい。
【００９１】
（実施形態２）
以下、本発明による光ディスク再生装置の第２の実施形態を説明する。
【００９２】
まず、図１１を参照する。図１１は、本実施形態における光ディスク再生装置のブロック図である。
【００９３】
本実施形態における光ディスク再生装置の構成が実施形態１における光ディスク再生装置の構成と異なる点は、本実施形態の光ディスク再生装置がＮＢＣＡ内外判定部１０４およびＮＢＣＡ復調部１０５に代えてＢＣＡ内外判定部４０４およびＢＣＡ復調部４０５を備えている点にある。他の構成要素は、２つの実施形態で共通しているため、ここでは、それら共通部分の説明は省略する。
【００９４】
ＢＣＡ領域判定部４０４は、光ピックアップ１０３の再生信号に基づいて光ビーム照射位置がＢＣＡの領域内に位置するか否かを判定する。ＢＣＡ復調部４０５は、光ピックアップ１０３の再生信号に基づいてＢＣＡ信号を復調する。
【００９５】
図１２は、ＢＣＡを備える光ディスク１０１のＲＦ記録領域とＢＣＡとの位置関係を示している。ＢＣＡは、ＲＦ記録領域内に存在するため、ＢＣＡからトラッキングエラー信号を生成し、トラッキングサーボ制御を実行することも可能である。しかし、本実施形態では、ＢＣＡデータを読み出す場合、ＲＦ記録領域内の内周側部分でトラッキングサーボ制御をオフ状態にする。この後は、実施形態１について説明した方法と同様の方法で光ピックアップ１０３および対物レンズ１２０の送り動作を組み合わせることにより、光ビーム照射位置をＢＣＡに向けて微小距離ずつ移動させながら、ＢＣＡ内外判定部４０４による判定を行うため、ＢＣＡを高い精度で検出することができる。
【００９６】
図１３は、光ピックアップ１０３の再生信号の波形図である。検出レベルはＢＣＡ内外判定部４０４がＢＣＡの内外を判定する閾値である。検出レベル以下となる時間的割合が規定比率以上の場合にＢＣＡ内と判定する。このように、ＢＣＡ内外判定部４０４はＮＢＣＡ内外判定部１０４と同様の機能を有している。
【００９７】
図１３（ａ）および図１３（ｂ）は、光ピックアップ１０３によって得られる再生信号の波形図である。光ディスク１０１のＲＦ記録領域には、反射率が相対的に低い記録マークが多数形成されているため、ＲＦ記録領域から得られる再生信号は、図１３（ｂ）に示すように高い周波数で変化する。ＲＦ記録領域のうち、反射膜にスリットが形成されたＢＣＡからは、図７（ａ）に示すようスリット部分で振幅の低下した再生信号が得られる。
【００９８】
したがって、図１３（ａ）および図１３（ｂ）に示すように検出レベル（閾値）を適切な値に設定し、再生信号のレベルが検出レベル以下となる期間（スリット部分に対応）を計測すれば、光ビームの照射位置がＢＣＡ上にあるか否かを検知することが可能である。この「検出レベル」は、ＢＣＡのスリット部分（反射膜が除去された部分）における反射光強度の低下を検知する大きさに設定される必要があり、反射膜が存在する領域の反射光強度よりも低く、ＢＣＡのスリット部分からの反射光強度よりも高い値に設定される。
【００９９】
本実施形態では、再生信号が検出レベル以下となる期間の割合が規定値（例えば８．３％）以上となったとき、光ビームの照射位置がＢＣＡにあると判定する。こうしてＢＣＡ内外判定部４０４は、ＮＢＣＡ内外判定部１０４と同様に動作し、光ビーム照射位置がＢＣＡ上にあると判定されたときは、ＢＣＡ復調部４０５がＢＣＡデータを復調する。なお、ＢＣＡ内外判定時、およびＢＣＡデータ復調時において、トラッキングサーボ制御はオフ状態にある。
【０１００】
このように、ＮＢＣＡの読み出しだけではなく、ＢＣＡの読み出しを行う場合でも、トラッキングサーボ制御をオフにした状態で光ビーム照射位置をＢＣＡに移動させ、ＢＣＡの読み出しを行うことが可能である。本実施形態によれば、ＢＣＡの存在によって動作が不安定化しやすいトラッキングサーボ制御を実行することなく、ＢＣＡの安定した読み出しが可能となる。
【０１０１】
上記実施形態におけるＮＢＣＡ内外判定部１０４およびＢＣＡ内外判定部４０４は、本発明における「領域判定手段」として機能するが、この領域判定手段は、上記の実施形態における構成を有しているものに限定されない。例えば、バースト・カッティング・エリア情報を復号できるか否かに基づいて、光ビーム照射位置がバースト・カッティング・エリア内に位置するか否かを判定する構成を採用しても良い。
【０１０２】
なお、上記各実施形態における制御部２００の構成は、ハードウェアによって実施されていても良いし、ハードウェアおよびソフトウェアの組み合わせによって実施されていても良い。
【産業上の利用可能性】
【０１０３】
本発明の光ディスク再生装置は、光ピックアップの送り機構が安価なモータを備える場合でも、ＮＢＣＡの読み出しを可能にするため、光ディスク再生装置の普及に有用である。
【図面の簡単な説明】
【０１０４】
【図１】（ａ）は、ＢＣＡまたはＮＢＣＡを備える光ディスク１０１の上面を模式的に示す平面図であり、（ｂ）は、ＢＣＡとＲＦ記録領域との位置関係を模式的に示す光ディスク１０１の部分断面図であり、（ｃ）は、ＮＢＣＡとＲＦ記録領域との位置関係を模式的に示す光ディスク１０１の部分断面図である。
【図２】従来の光ディスク再生装置の構成を示す図である。
【図３】従来の光ディスク再生装置によるＢＣＡ読み出し動作のフローチャートである。
【図４】本発明による光ディスク再生装置の第１の実施形態を示す図である。
【図５】（ａ）は、矢印Ｘで示されるトラッキング方向（光ディスクの半径方向）の移動を示す図であり、（ｂ）は、矢印Ｙで示されるフォーカシング方向（光ディスクの表面に対して垂直な方向）の移動を示す図である。矢印Ｘは、光ディスクの半径方向に平行であり、（ａ）の紙面上にあるが、（ｂ）の紙面に対しては垂直である。
【図６】光ビームの照射位置を光ディスクのＲＦ記録領域からＮＢＣＡに移動させる過程を示す図である。
【図７】（ａ）から（ｃ）は、光ピックアップによって得られる再生信号の波形図である。
【図８】（ａ）から（ｆ）は、基台１６０および対物レンズ１２０の送り動作の一例を模式的に示す図面である。
【図９】（ａ）から（ｆ）は、基台１６０および対物レンズ１２０の送り動作の他の一例を模式的に示す図面である。
【図１０】（ａ）から（ｆ）は、基台１６０および対物レンズ１２０の送り動作の更に他の一例を模式的に示す図面である。
【図１１】本発明による光ディスク再生装置の第２の実施形態を示す図である。
【図１２】ＢＣＡを備える光ディスク１０１のＲＦ記録領域とＢＣＡとの位置関係を示す図である。
【図１３】（ａ）および（ｂ）は、光ピックアップによって得られる再生信号の波形図である。
【符号の説明】
【０１０５】
１０１    光ディスク
１０２    モータ
１０３    光ピックアップ
１０４    ＮＢＣＡ内外判定部
１０５    ＮＢＣＡ復調部
１０６    送り機構
１０７    トラバース制御部
１０８    トラッキング制御部
１０９    マイクロコンピュータ
１１０ａ  光源
１１０ｂ  光検出器
１２０    対物レンズ
１３０    レンズホルダ
１４０    レンズ支持ワイヤ
１５０    支持部
１６０    基台
２００    制御部
２０１    基台の移動を表す矢印
２０２    対物レンズの移動を表す矢印
４０４    ＢＣＡ内外判定部
４０５    ＢＣＡ復調部
７０１    光ディスク
７０２    モータ
７０３    光ピックアップ
７０４    アドレス復調部
７０５    ＢＣＡ復調部
７０６    送り機構
７０７    トラバース制御部
７０８    トラッキング制御部
７０９    マイクロコンピュータ
７１０    トラッキングエラー信号検出部
【図１】
0004949235.tif 000002
【図２】
0004949235.tif 000003
【図３】
0004949235.tif 000004
【図４】
0004949235.tif 000005
【図５】
0004949235.tif 000006
【図６】
0004949235.tif 000007
【図７】
0004949235.tif 000008
【図８】
0004949235.tif 000009
【図９】
0004949235.tif 000010
【図１０】
0004949235.tif 000011
【図１１】
0004949235.tif 000012
【図１２】
0004949235.tif 000013
【図１３】
0004949235.tif 000014